(57)【要約】【課題】複数のアンテナで異なる周波数帯のダウンリンク通信を行なう場合において、移動局の受信品質を向上させることが可能な基地局を提供する。【解決手段】基地局１００は、複数の周波数を同時に用いる通信方式および前記複数の周波数のうちの１つの周波数を用いる通信方式の少なくともいずれかで、移動局３００と通信する。基地局１００は、複数の周波数を同時に用いて互いに異なる情報を送信する第１の送信モードと、複数の周波数を同時に用いて同一の情報を送信する第２の送信モードとのうちのいずれの送信モードを用いるかを、移動局との通信に基づき決定するＤＬ送信モード決定部と、決定された送信モードにて、移動局３００に対するダウンリンク送信を行なう送信処理部とを備える。【選択図】図５
2013051562.tif 000002
【特許請求の範囲】
【請求項１】
複数の周波数を同時に用いる通信方式および前記複数の周波数のうちの１つの周波数を用いる通信方式の少なくともいずれかで、移動局と通信する基地局であって、
前記複数の周波数を同時に用いて互いに異なる情報を送信する第１の送信モードと、前記複数の周波数を同時に用いて同一の情報を送信する第２の送信モードとのうちのいずれの送信モードを用いるかを、前記移動局との通信に基づき決定する決定手段と、
前記決定された送信モードにて、前記移動局に対するダウンリンク送信を行なう送信処理手段とを備える、基地局。
【請求項２】
前記基地局は、互いに周波数帯域が異なる複数のコンポーネントキャリアを用いたキャリアアグリゲーションによって、前記移動局と通信し、
前記第１の送信モードは、前記複数のコンポーネントキャリアを用いて互いに異なる情報を送信するモードであり、
前記第２の送信モードは、前記複数のコンポーネントキャリアを用いて同一の情報を送信するモードである、請求項１に記載の基地局。
【請求項３】
前記決定手段は、前記移動局から通知される前記コンポーネントキャリア毎の受信品質を表した情報に基づき、前記送信モードを決定する、請求項２に記載の基地局。
【請求項４】
前記決定手段は、
各前記受信品質が、予め定められた第１の閾値以上であるかを判定し、
各前記受信品質が前記第１の閾値以上であると判定した場合には、前記第１の送信モードを用いる決定をする、請求項３に記載の基地局。
【請求項５】
前記決定手段は、
各前記受信品質が、前記第１の閾値よりも受信品質が低いことを表した、予め定められた第２の閾値以上であるかを判定し、
各前記受信品質が前記第２の閾値以上であって、かつ、前記受信品質の少なくとも１つが前記第１の閾値未満である場合には、前記第２の送信モードを用いる決定をする、請求項４に記載の基地局。
【請求項６】
前記送信処理手段は、
前記第１の送信モードで前記移動局と通信を行なう場合には、第１のフォーマットを用いて前記互いに異なる情報を送信し、
前記第２の送信モードで前記移動局と通信を行なう場合には、第２のフォーマットを用いて前記同一の情報を送信する、請求項１から５のいずれか１項に記載の基地局。
【請求項７】
複数の周波数を同時に用いる通信方式および前記複数の周波数のうちの１つの周波数を用いる通信方式の少なくともいずれかで、基地局と通信する移動局であって、
前記複数の周波数を同時に用いて互いに異なる情報を送信する第１の送信モードと、前記複数の周波数を同時に用いて同一の情報を送信する第２の送信モードとのうちのいずれの送信モードを前記基地局が用いているかを、前記基地局との通信に基づき判断する判断手段と、
前記基地局が送信する情報に対して、前記判断された送信モードに対応したデータ処理を行なう処理手段とを備える、移動局。
【請求項８】
前記移動局は、互いに周波数帯域が異なる複数のコンポーネントキャリアを用いたキャリアアグリゲーションによって、前記基地局と通信し、
前記第１の送信モードは、前記複数のコンポーネントキャリアを用いて互いに異なる情報を送信するモードであり、
前記第２の送信モードは、前記複数のコンポーネントキャリアを用いて同一の情報を送信するモードである、請求項７に記載の移動局。
【請求項９】
前記移動局は、前記コンポーネントキャリア毎の受信品質を表した情報を前記基地局に送信する、請求項８に記載の移動局。
【請求項１０】
前記判断手段は、前記基地局が送信する情報が、第１のフォーマットを用いた情報であるか、第２のフォーマットを用いた情報であるかに基づき、前記判断を行なう、請求項８または９に記載の移動局。
【請求項１１】
移動局と基地局とを備え、複数の周波数を同時に用いる通信方式および前記複数の周波数のうちの１つの周波数を用いる通信方式の少なくともいずれかで前記移動局と前記基地局とが通信する通信システムであって、
前記基地局は、
前記複数の周波数を同時に用いて互いに異なる情報を送信する第１の送信モードと、前記複数の周波数を同時に用いて同一の情報を送信する第２の送信モードとのうちのいずれの送信モードを用いるかを、前記移動局との通信に基づき決定し、
前記決定された送信モードにて、前記移動局に対するダウンリンク送信を行ない、
前記移動局は、
前記第１の送信モードと前記第２の送信モードとのうちのいずれの送信モードを前記基地局が用いているかを、前記基地局との通信に基づき判断し、
前記判断された送信モードに対応したデータ処理を行なう、通信システム。
【請求項１２】
複数の周波数を同時に用いる通信方式および前記複数の周波数のうちの１つの周波数を用いる通信方式の少なくともいずれかで、移動局と通信する基地局における通信制御方法であって、
前記基地局が、前記複数の周波数を同時に用いて互いに異なる情報を送信する第１の送信モードと、前記複数の周波数を同時に用いて同一の情報を送信する第２の送信モードとのうちのいずれの送信モードを用いるかを、前記移動局との通信に基づき決定するステップと、
前記基地局が、前記決定された送信モードにて、前記移動局に対するダウンリンク送信を行なうステップとを備える、通信制御方法。
【請求項１３】
複数の周波数を同時に用いる通信方式および前記複数の周波数のうちの１つの周波数を用いる通信方式の少なくともいずれかで、基地局と通信する移動局における通信制御方法であって、
前記移動局が、前記複数の周波数を同時に用いて互いに異なる情報を送信する第１の送信モードと、前記複数の周波数を同時に用いて同一の情報を送信する第２の送信モードとのうちのいずれの送信モードを前記基地局が用いているかを、前記基地局との通信に基づき判断するステップと、
前記移動局が、前記基地局が送信する情報に対して、前記判断された送信モードに対応したデータ処理を行なうステップとを備える、通信制御方法。
【請求項１４】
移動局と基地局とを備え、複数の周波数を同時に用いる通信方式および前記複数の周波数のうちの１つの周波数を用いる通信方式の少なくともいずれかで前記移動局と前記基地局とが通信する通信システムにおける通信制御方法であって、
前記基地局が、前記複数の周波数を同時に用いて互いに異なる情報を送信する第１の送信モードと、前記複数の周波数を同時に用いて同一の情報を送信する第２の送信モードとのうちのいずれの送信モードを用いるかを、前記移動局との通信に基づき決定するステップと、
前記基地局が、前記決定された送信モードにて、前記移動局に対するダウンリンク送信を行なうステップと、
前記移動局が、前記第１の送信モードと前記第２の送信モードとのうちのいずれの送信モードを前記基地局が用いているかを、前記基地局との通信に基づき判断するステップと、
前記移動局が、前記判断された送信モードに対応したデータ処理を行なうステップとを備える、通信制御方法。
【請求項１５】
請求項１２から１４のいずれかに記載の通信制御方法をコンピュータに実行させるためのプログラム。
【発明の詳細な説明】
【技術分野】
【０００１】
本発明は、基地局、移動局、通信システム、通信制御方法、およびプログラムに関し、特に、キャリアアグリゲーションを用いた通信を行なう、基地局、移動局、通信システム、通信制御方法、およびプログラムに関する。
【背景技術】
【０００２】
３ＧＰＰ（3rd Generation Partnership Project）では、現在、ＬＴＥ−Ａ（Long Term Evolution-Advanced）の仕様検討が行われている。ＬＴＥ−Ａでは、ＬＴＥよりも高速の通信を実現することが要求されている。このため、ＬＴＥ−Ａでは、ＬＴＥよりも広帯域（ＬＴＥの２０ＭＨｚの帯域を越える１００ＭＨｚまでの帯域）をサポートすることが求められている。しかしながら、世界的に連続した広帯域の周波数領域をＬＴＥ−Ａ用として確保することは難しい。
【０００３】
それゆえ、ＬＴＥ−Ａでは、ＬＴＥとの互換性を可能な限り維持する目的から、キャリアアグリゲーション（ＣＡ：Career Aggregation）技術が検討されている。キャリアアグリゲーション技術は、コンポーネントキャリア（ＣＣ：Component Career）と呼ばれる帯域幅が２０ＭＨｚまでの周波数帯域を複数まとめて通信を行うことにより最大１００ＭＨｚの帯域幅を確保し、これにより高速かつ大容量の通信を実現させる技術である。非特許文献１には、上記キャリアアグリゲーションが開示されている。
【０００４】
また、ＬＴＥ−Ａは、ダウンリンクにおいて最大８×８ＭＩＭＯ（Multiple Input Multiple Output）技術を適用することによって、さらに高速かつ大容量の通信が可能である。このようなＭＩＭＯ技術においては、特に伝搬特性が劣悪な場合には伝搬路の推測精度が劣化するため、ＭＩＭＯ受信することが困難となる。このため、ＬＴＥ−Ａでは、ＭＩＭＯモードから送信ダイバーシテチモードに切り換えることによって、受信品質（ＲＳＲＱ：Reference Signal Received Quality）を向上させる。すなわち、基地局は、キャリアアグリゲーションを行なわずに、複数の送信アンテナから同じデータを送信する。移動局は、同じデータを複数のアンテナで受信する。これにより、移動局での受信品質を高めることができる。
【０００５】
たとえば、２つのアンテナで同じ周波数帯のダウンリンク通信を行なう場合、受信品質の良いセル中心付近ではＭＩＭＯモードを、受信品質の悪いセルエッジでは送信ダイバーシチモードが用いられている。
【０００６】
非特許文献２には、ＬＴＥの仕様が開示されている。より詳しくは、非特許文献２には、ＭＩＭＯモードのときには基地局がＭＩＭＯモード用の下り制御情報用フォーマットを使用し、送信ダイバーシテチモードのときには基地局が送信ダイバーシテチモード用の送信制御フォーマットを使用して、基地局がＤＬ用送信制御データの送信を行なうことが
開示されている。また、どちらの送信制御フォーマットを移動局が受信したかにより、移動局がＭＩＭＯと送信ダイバーシチを切り換えてデータ受信を行なうことが開示されている。
【０００７】
また、上述したようなモードの使い分けを行なう場合、ＭＩＭＯモードを使用せず送信ダイバーシチのみを行なう場合などがある。移動局の能力によってダウンリンクにおける送信モードの限定ができる。
【先行技術文献】
【非特許文献】
【０００８】
【非特許文献１】3GPP TR 36.814 V9.0.0 (2010-03), Technical Report, 3rd Generation Partnership Project; Technical Specification Group Radio Access Network; Evolved Universal Terrestrial Radio Access (E-UTRA); Further advancements for E-UTRA physical layer aspects (Release 9)
【非特許文献２】3GPP TS 36.212 V9.0.0 (2009-12), Technical Specification, 3rd Generation Partnership Project; Technical Specification Group Radio Access Network; Evolved Universal Terrestrial Radio Access (E-UTRA); Multiplexing and channel coding (Release 9)
【発明の概要】
【発明が解決しようとする課題】
【０００９】
しかしながら、複数のアンテナで異なる周波数帯のダウンリンク通信を行なう場合に、移動局において受信品質を向上させることまでは、従来検討されていない。
【００１０】
本願発明は、上記の問題点に鑑みなされたものであって、複数のアンテナで異なる周波数帯のダウンリンク通信を行なう場合において、移動局の受信品質を向上させることが可能な基地局、移動局、通信システム、通信制御方法、およびプログラムを提供することにある。
【課題を解決するための手段】
【００１１】
本発明の或る局面に従うと、基地局は、複数の周波数を同時に用いる通信方式および複数の周波数のうちの１つの周波数を用いる通信方式の少なくともいずれかで、移動局と通信する。基地局は、複数の周波数を同時に互いに異なる情報を送信する第１の送信モードと、複数の周波数を同時に用いて同一の情報を送信する第２の送信モードとのうちのいずれの送信モードを用いるかを、移動局との通信に基づき決定する決定手段と、決定された送信モードにて、移動局に対するダウンリンク送信を行なう送信処理手段とを備える。
【００１２】
好ましくは、基地局は、互いに周波数帯域が異なる複数のコンポーネントキャリアを用いたキャリアアグリゲーションによって、移動局と通信する。第１の送信モードは、複数のコンポーネントキャリアを用いて互いに異なる情報を送信するモードである。第２の送信モードは、複数のコンポーネントキャリアを用いて同一の情報を送信するモードである。
【００１３】
好ましくは、決定手段は、移動局から通知されるコンポーネントキャリア毎の受信品質を表した情報に基づき、送信モードを決定する。
【００１４】
好ましくは、決定手段は、各受信品質が、予め定められた第１の閾値以上であるかを判定する。決定手段は、各受信品質が第１の閾値以上であると判定した場合には、第１の送信モードを用いる決定をする。
【００１５】
好ましくは、決定手段は、各受信品質が、第１の閾値よりも受信品質が低いことを表した、予め定められた第２の閾値以上であるかを判定する。決定手段は、各受信品質が第２の閾値以上であって、かつ、受信品質の少なくとも１つが第１の閾値未満である場合には、第２の送信モードを用いる決定をする。
【００１６】
好ましくは、送信処理手段は、第１の送信モードで移動局と通信を行なう場合には、第１のフォーマットを用いて互いに異なる情報を送信し、第２の送信モードで移動局と通信を行なう場合には、第２のフォーマットを用いて同一の情報を送信する。
【００１７】
本発明の他の局面に従うと、移動局は、複数の周波数を同時に用いる通信方式および複数の周波数のうちの１つの周波数を用いる通信方式の少なくともいずれかで、基地局と通信する。移動局は、複数の周波数を同時に用いて互いに異なる情報を送信する第１の送信モードと、複数の周波数を同時に用いて同一の情報を送信する第２の送信モードとのうちのいずれの送信モードを基地局が用いているかを、基地局との通信に基づき判断する判断手段と、基地局が送信する情報に対して、判断された送信モードに対応したデータ処理を行なう処理手段とを備える。
【００１８】
好ましくは、移動局は、互いに周波数帯域が異なる複数のコンポーネントキャリアを用いたキャリアアグリゲーションによって、基地局と通する。第１の送信モードは、複数のコンポーネントキャリアを用いて互いに異なる情報を送信するモードである。第２の送信モードは、複数のコンポーネントキャリアを用いて同一の情報を送信するモードである。
【００１９】
好ましくは、移動局は、コンポーネントキャリア毎の受信品質を表した情報を基地局に送信する。
【００２０】
好ましくは、判断手段は、基地局が送信する情報が、第１のフォーマットを用いた情報であるか、第２のフォーマットを用いた情報であるかに基づき、上記判断を行なう。
【００２１】
本発明のさらに他の局面に従うと、通信システムは、移動局と基地局とを備え、複数の周波数を同時に用いる通信方式および複数の周波数のうちの１つの周波数を用いる通信方式の少なくともいずれかで移動局と基地局とが通信する通信システムである。基地局は、複数の周波数を同時に用いて互いに異なる情報を送信する第１の送信モードと、複数の周波数を同時に用いて同一の情報を送信する第２の送信モードとのうちのいずれの送信モードを用いるかを、移動局との通信に基づき決定する。基地局は、決定された送信モードにて、移動局に対するダウンリンク送信を行なう。移動局は、第１の送信モードと第２の送信モードとのうちのいずれの送信モードを基地局が用いているかを、基地局との通信に基づき判断する。移動局は、判断された送信モードに対応したデータ処理を行なう。
【００２２】
本発明のさらに他の局面に従うと、通信制御方法は、複数の周波数を同時に用いる通信方式および複数の周波数のうちの１つの周波数を用いる通信方式の少なくともいずれかで、移動局と通信する基地局における通信制御方法である。通信制御方法は、基地局が、複数の周波数を同時に用いて互いに異なる情報を送信する第１の送信モードと、複数の周波数を同時に用いて同一の情報を送信する第２の送信モードとのうちのいずれの送信モードを用いるかを、移動局との通信に基づき決定するステップと、基地局が、決定された送信モードにて、移動局に対するダウンリンク送信を行なうステップとを備える。
【００２３】
本発明のさらに他の局面に従うと、通信制御方法は、複数の周波数を同時に用いる通信方式および複数の周波数のうちの１つの周波数を用いる通信方式の少なくともいずれかで、基地局と通信する移動局における通信制御方法である。通信制御方法は、移動局が、複数の周波数を同時に用いて互いに異なる情報を送信する第１の送信モードと、複数の周波数を同時に用いて同一の情報を送信する第２の送信モードとのうちのいずれの送信モードを基地局が用いているかを、基地局との通信に基づき判断するステップと、移動局が、基地局が送信する情報に対して、判断された送信モードに対応したデータ処理を行なうステップとを備える。
【００２４】
本発明のさらに他の局面に従うと、通信制御方法は、移動局と基地局とを備え、複数の周波数を同時に用いる通信方式および複数の周波数のうちの１つの周波数を用いる通信方式の少なくともいずれかで移動局と基地局とが通信する通信システムにおける通信制御方法である。通信制御方法は、基地局が、複数の周波数を同時に用いて互いに異なる情報を送信する第１の送信モードと、複数の周波数を同時に用いて同一の情報を送信する第２の送信モードとのうちのいずれの送信モードを用いるかを、移動局との通信に基づき決定するステップと、基地局が、決定された送信モードにて、移動局に対するダウンリンク送信を行なうステップと、移動局が、第１の送信モードと第２の送信モードとのうちのいずれの送信モードを基地局が用いているかを、基地局との通信に基づき判断するステップと、移動局が、判断された送信モードに対応したデータ処理を行なうステップとを備える。
【００２５】
本発明のさらに他の局面に従うと、プログラムは、上記の通信制御方法をコンピュータに実行させる。
【発明の効果】
【００２６】
本発明によれば、複数のアンテナで異なる周波数帯のダウンリンク通信を行なう場合において、移動局の受信品質を向上させることが可能となる。
【図面の簡単な説明】
【００２７】
【図１】通信システムの概略構成を表した図である。
【図２】基地局の機能ブロック図である。
【図３】ダウンリンク送信モードの決定に用いるデータテーブルを示した図である。
【図４】移動局の機能ブロック図である。
【図５】通信システムにおけるシーケンスチャートである。
【図６】通信システムにおける他のシーケンスチャートである。
【図７】基地局における処理の流れを表したフローチャートである。
【図８】移動局における処理の流れを表したフローチャートである。
【図９】基地局の典型的なハードウェア構成を表した図である。
【図１０】移動局の典型的なハードウェア構成を表した図である。
【発明を実施するための形態】
【００２８】
以下、図面を参照しつつ、本発明の各実施の形態に係る通信システムについて説明する。以下の説明では、同一の部品には同一の符号を付してある。それらの名称および機能も同じである。したがって、それらについての詳細な説明は繰り返さない。
【００２９】
＜Ａ．システム構成＞
図１は、通信システム１の概略構成を表した図である。図１を参照して、通信システム１は、基地局１００と、移動局３００とを備える。通信システム１においては、互いに周波数帯域が異なる複数のコンポーネントキャリアを用いたキャリアアグリゲーションによって、基地局１００と移動局３００とが通信する。移動局３００は、基地局１００によって形成されるセル９０内に位置している。
【００３０】
移動局３００は、たとえば、携帯型電話機である。なお、移動局３００は、携帯型電話機に限定されず、スマートフォン、ＰＤＡ（Personal Digital Assistants）等の移動端末であってもよい。また、通信システム１に含まれる移動局３００は、１つに限定されるものではない。
【００３１】
以下では、説明の便宜上、ダウンリンクのコンポーネントキャリアとして２つのコンポーネントキャリアを用い、アップリンクのコンポーネントキャリアとして１つのコンポーネントキャリアを用いる例を挙げて説明する。また、ダウンリンクを「ＤＬ」、アップリンクを「ＵＬ」、キャリアアグリゲーションを「ＣＡ」、コンポーネントキャリアを「ＣＣ」、ダイバーシチを「ＤＩＶ」とも称する。また、上記２つのコンポーネントキャリアのうち、一方のコンポーネントキャリアを「コンポーネントキャリアＤＬ−１」と称し、他方のコンポーネントキャリアを「コンポーネントキャリアＤＬ−２」と称する。
【００３２】
＜Ｂ．基地局１００＞
図２は、基地局１００の機能ブロック図である。図２を参照して、基地局１００は、受信用のアンテナ１０１、受信部１０２、ＯＦＤＭ（Orthogonal Frequency Division Multiplexing）処理部１０３と、ＵＬデータ処理部１０４と、ＵＬデータ保持部１０５と、送信部１０６と、コアネットワーク１０７と、ＤＬ受信品質情報取得部１０８と、ＤＬ送信モード決定部１０９と、受信部１１０と、ＤＬデータ保持部１１１と、ＤＬ送信制御部１１２と、ＤＬ送信フォーマット保持部１１３と、ＤＬ送信情報保持部１１４と、ＣＡ送信制御部１１５と、ＤＬデータ配置部１１６と、ＤＬデータ処理部１１７と、ＤＬデータ処理部１１８と、ＯＦＤＭ処理部１１９と、ＯＦＤＭ処理部１２０と、送信部１２１と、送信部１２２と、送信用のアンテナ１２３と、送信用のアンテナ１２４とを備える。なお、以下では、参照符号１１２〜１２２で表される各ブロックをまとめて、「送信処理部１５０」と称する。
【００３３】
（ｂ１．アップリンクにおける通信処理）
移動局３００から基地局１００局へのアップリンク通信における基地局１００での処理について説明する。
【００３４】
受信部１０２は、アンテナ１０１を用いて、移動局３００からのＵＬ信号を受信する。受信部１０２は、当該ＵＬ信号を、ＯＦＤＭ処理部１０３に送る。
【００３５】
ＯＦＤＭ処理部１０３は、受信部１０２から受取ったＵＬ信号に対して、ＯＦＤＭ処理を実行する。ＯＦＤＭ処理部１０３は、ＵＬ信号に対してＯＦＤＭ処理を行なうことにより得られたデータをＵＬデータ処理部１０４に送る。
【００３６】
ＵＬデータ処理部１０４は、ＯＦＤＭ処理部１０３より受取ったデータから、ユーザデータを取得する。ＵＬデータ処理部１０４は、ユーザデータを、ＵＬデータ保持部１０５に送る。さらに、ＵＬデータ処理部１０４は、ユーザデータを、ＤＬ受信品質情報取得部１０８に送る。
【００３７】
ＵＬデータ保持部１０５は、ＵＬデータ処理部１０４から受取ったユーザデータを保持する。
【００３８】
送信部１０６は、ＵＬデータ保持部１０５に保持されているユーザデータを、コアネットワーク１０７に送信する。
【００３９】
ＤＬ受信品質情報取得部１０８は、ユーザデータから、移動局３００が送信したＤＬにおける受信品質を表わした情報（以下、「ＤＬ受信品質情報」とも称する）を取得する。ＤＬ受信品質情報取得部１０８は、ＤＬ受信品質情報を、ＤＬ送信モード決定部１０９に送る。
【００４０】
ＤＬ送信モード決定部１０９は、ＤＬ受信品質情報に基づいて、ダウンリンクにおける送信モード（以下、「ＤＬ送信モード」とも称する）を決定する。具体的には、ＤＬ送信モード決定部１０９は、２つのコンポーネントキャリアＤＬ−１，ＤＬ−２を用いて互いに異なる情報を送信するＤＬ送信モードと、２つのコンポーネントキャリアＤＬ−１，ＤＬ−２を用いて同一の情報を送信するＤＬ送信モードと、コンポーネントキャリアＤＬ−１のみを用いたＤＬ送信モードと、コンポーネントキャリアＤＬ−２のみを用いたＤＬ送信モードとのうちのいずれのＤＬ送信モードを用いるかを決定する。
【００４１】
２つのコンポーネントキャリアＤＬ−１，ＤＬ−２を用いて互いに異なる情報を送信するＤＬ送信モードは、キャリアアグリゲーションを用いたＤＬ送信モードであるため、以下では、「ＣＡ送信モード」とも称する。また、２つのコンポーネントキャリアを用いて同一の情報をダイバーシチによって送信するＤＬ送信モードを、「ＣＣ−ＤＩＶ送信モード」とも称する。また、コンポーネントキャリアＤＬ−１のみを用いたＤＬ送信モードを、「ＤＬ−１送信モード」とも称し、コンポーネントキャリアＤＬ−２のみを用いたＤＬ送信モードを、「ＤＬ−２送信モード」とも称する。なお、「ＤＬ−１送信モード」および「ＤＬ−２送信モード」は、それぞれ、「送信ダイバーシチ」を行なうモードである。詳しくは、「ＤＬ−１送信モード」および「ＤＬ−２送信モード」は、それぞれ、キャリアグリゲーションを行なわずに、１つのコンポーネントキャリアだけを用いて、同じデータを複数のアンテナから送信するモードである。
【００４２】
より詳しくは、ＤＬ送信モード決定部１０９は、ＣＡ送信制御部１１５からコンポーネントキャリアの数に関する情報を受取り、当該コンポーネントキャリアの数をＤＬ送信モードの決定に利用する。なお、ＤＬ送信モードの決定方法については、後述する。
【００４３】
ＤＬ送信モード決定部１０９は、決定したＤＬ送信モードを表す情報（以下、「ＤＬ送信モード情報」とも称する）を、ＤＬ送信制御部１１２に送る。ＤＬ送信制御部１１２は、ＤＬ送信情報保持部１１４にＤＬ送信モード情報を保持させる。詳しくは、ＤＬ送信制御部１１２は、移動局毎のＤＬ送信モード情報をＤＬ送信情報保持部１１４に保持させる。
【００４４】
（ｂ２．ダウンリンクにおける通信処理）
次に、基地局１００から移動局３００へのダウンリンク通信における基地局１００での処理について説明する。
【００４５】
受信部１１０は、コアネットワーク１０７から伝送される移動局３００宛てのユーザデータを受信する。受信部１１０は、当該ユーザデータを、ＤＬデータ保持部１１１に送る。
【００４６】
ＤＬデータ保持部１１１は、受信部１１０から受取ったユーザデータを保持する。
ＤＬ送信制御部１１２は、ＤＬ送信モード決定部１０９から受取ったＤＬ送信モード情報に基づき、ダウンリンク送信を行なうための処理を実行する。つまり、ＤＬ送信制御部１１２は、ＤＬ送信モード決定部１０９によって決定されたＤＬ送信モードによってダウンリンク送信を行なうための処理を実行する。
【００４７】
具体的には、ＤＬ送信制御部１１２は、ダウンリンク送信をＣＡ送信モードで行なうことがＤＬ送信モード決定部１０９によって決定された場合には、ＣＡ送信モードを実行するための制御を行なう。一方、ＤＬ送信制御部１１２は、ダウンリンク送信をＣＣ−ＤＩＶ送信モードで行なうことがＤＬ送信モード決定部１０９によって決定された場合には、ＣＣ−ＤＩＶ送信モードを実行するための制御を行なう。
【００４８】
ＤＬ送信フォーマット保持部１１３は、ＤＬ送信フォーマットとして、ＣＡ送信モード用のＤＬ送信フォーマット（つまり、ＭＩＭＯモード用のＤＬ送信フォーマット）と、ＣＣ−ＤＩＶ送信モード用のＤＬ送信フォーマットと、ＤＬ−１送信モード用のＤＬ送信フォーマットと、ＤＬ−２送信モード用のＤＬ送信フォーマットとを保持している。ＤＬ送信フォーマットは、たとえば、ＤＣＩ（Downlink Control Information）フォーマット（制御情報用フォーマット）である。
【００４９】
なお、ＣＡ送信モードの場合には、制御情報（ＰＤＣＣＨ）の遣り取りに使用するコンポーネントキャリアがＰＣｅｌｌ（Primary Cell）となる。一方、ＣＣ−ＤＩＶ送信モードの場合、ＤＬ−１送信モードの場合、およびＤＬ−２送信モードの場合には、ＣＡではないため、ＰＣｅｌｌ，ＳＣｅｌｌ（Secondary Cell）といった概念（つまり区別）はない、すなわち、各送信モードで用いる全てのセルは、制御情報の遣り取りに利用される（つまり、ＣＡ送信モードの場合におけるＰＣｅｌｌに対応する）。
【００５０】
ＤＬ送信情報保持部１１４は、上述したように、移動局毎にＤＬ送信モード情報を保持している。
【００５１】
ＤＬ送信制御部１１２は、ＤＬ送信フォーマット保持部１１３およびＤＬ送信情報保持部１１４とにアクセスし、ＤＬ送信フォーマット保持部１１３からＤＬ送信フォーマットを取得し、ＤＬ送信情報保持部１１４からＤＬ送信モード情報を取得する。また、ＤＬ送信制御部１１２は、移動局毎のＤＬ送信モードを、移動局毎のＤＬ送信モード情報に基づき判断する。
【００５２】
ＣＡ送信制御部１１５は、キャリアアグリゲーションを実行する際の送信制御を行なう。具体的には、ＣＡ送信制御部１１５は、送信部１２１，１２２と、ＯＦＤＭ処理部１１９，１２０と、ＤＬデータ処理部１１７，１１８に対して、キャリアアグリゲーション送信についての制御を行なう。ＣＡ送信制御部１１５は、さらに、移動局毎のダウンリンクのキャリアコンポーネントの数を、ＤＬ送信制御部１１２およびＤＬ送信モード決定部１０９に通知する。
【００５３】
ＤＬ送信制御部１１２は、ＣＡ送信制御部１１５から、移動局毎のダウンリンクのキャリアコンポーネントの数についての情報を受け付ける。ＤＬ送信制御部１１２は、当該キャリアコンポーネントの数を、１トランスポートブロック当たりの送信データ量を決めるのに用いる。
【００５４】
ＤＬ送信制御部１１２は、ＤＬ送信モード情報を、ＤＬデータ配置部１１６、ＤＬデータ処理部１１７，１１８に送る。
【００５５】
ＤＬデータ配置部１１６は、ＤＬ送信制御部１１２からのＤＬ送信モード情報を受け付ける。ＤＬデータ配置部１１６は、ＤＬ送信モード情報に基づき、各コンポーネントキャリアＤＬ−１，ＤＬ−２に配置する１トランスポートブロック分のＤＬデータを取得する。ＤＬデータ配置部１１６は、取得したＤＬデータを、各コンポーネントキャリアのＤＬデータ処理部１１７，１１８に送る。
【００５６】
基地局１００は、ＤＬデータ処理部１１７と、ＯＦＤＭ処理部１１９と、送信部１２１と、アンテナ１２３とにより、第１の周波数帯域（１つ目のコンポーネントキャリア）の周波数を用いたデータ送信を行なう。また、基地局１００は、ＤＬデータ処理部１１８と、ＯＦＤＭ処理部１２０と、送信部１２２と、アンテナ１２４とにより、第２の周波数帯域（２つ目のコンポーネントキャリア）の周波数を用いたデータ送信を行なう。
【００５７】
ＤＬデータ処理部１１７は、ＤＬ送信制御部１１２から通知されるＤＬ送信フォーマットに基づき、ＤＬデータ配置部１１６から送られてくるデータに対してＯＦＤＭ処理を行なうためのマッピングを行なう。ＤＬデータ処理部１１７は、マッピングを行なったデータを、ＯＦＤＭ処理部１１９に送る。
【００５８】
ＯＦＤＭ処理部１１９は、ＤＬデータ処理部１１７より送られてきたデータに対してＯＦＤＭ処理を行なう。ＯＦＤＭ処理部１１９は、ＯＦＤＭ処理したデータを、送信部１２１に送る。
【００５９】
送信部１２１は、アンテナ１２３を用いて、ＯＦＤＭ処理されたデータを、移動局３００に対して送信する。
【００６０】
ＤＬデータ処理部１１８は、ＤＬ送信制御部１１２から通知されるＤＬ送信フォーマットに基づき、ＤＬデータ配置部１１６から送られてくるデータに対してＯＦＤＭ処理を行なうためのマッピングを行なう。ＤＬデータ処理部１１８は、マッピングを行なったデータを、ＯＦＤＭ処理部１２０に送る。
【００６１】
ＯＦＤＭ処理部１２０は、ＤＬデータ処理部１１８より送られてきたデータに対してＯＦＤＭ処理を行なう。ＯＦＤＭ処理部１２０は、ＯＦＤＭ処理したデータを、送信部１２２に送る。
【００６２】
送信部１２２は、アンテナ１２４を用いて、ＯＦＤＭ処理されたデータを、移動局３００に対して送信する。
【００６３】
（ｂ３．ダウンリンクの送信モードの決定）
次に、ＤＬ送信モード決定部１０９におけるＤＬ送信モードの決定について説明する。
【００６４】
図３は、ＤＬ送信モードの決定に用いるデータテーブル９００を示した図である。図３を参照して、コンポーネントキャリアＤＬ−１の受信品質は、閾値Ｘ＿ＣＡと、閾値Ｘ＿ＣＣ−ＤＩＶ（０＜Ｘ＿ＣＣ−ＤＩＶ＜Ｘ＿ＣＡ）とにより、３つの範囲に区分されている。具体的には、コンポーネントキャリアＤＬ−１の受信品質は、Ｘ＿ＣＡ以上の範囲と、Ｘ＿ＣＡ未満かつＸ＿ＣＣ−ＤＩＶ以上の範囲と、Ｘ＿ＣＣ−ＤＩＶ未満の範囲とに区分されている。
【００６５】
また、コンポーネントキャリアＤＬ−２の受信品質も、コンポーネントキャリアＤＬ−１の受信品質と同様に、閾値Ｘ＿ＣＡと、閾値Ｘ＿ＣＣ−ＤＩＶ（０＜Ｘ＿ＣＣ−ＤＩＶ＜Ｘ＿ＣＡ）とにより、３つの範囲に区分されている。
【００６６】
ＤＬ送信モード決定部１０９は、コンポーネントキャリアＤＬ−１の受信品質が閾値Ｘ＿ＣＡ以上であって、かつコンポーネントキャリアＤＬ−２の受信品質が閾値Ｘ＿ＣＡ以上である場合、ＤＬ送信モードをＣＡ送信モードに決定する。また、ＤＬ送信モード決定部１０９は、コンポーネントキャリアＤＬ−１の受信品質が閾値Ｘ＿ＣＡ以上であって、かつコンポーネントキャリアＤＬ−２の受信品質が閾値Ｘ＿ＣＡ未満かつ閾値Ｘ＿ＣＣ−ＤＩＶ以上である場合、ＤＬ送信モードをＣＣ−ＤＩＶ送信モードに決定する。また、ＤＬ送信モード決定部１０９は、コンポーネントキャリアＤＬ−１の受信品質が閾値Ｘ＿ＣＡ以上であって、かつコンポーネントキャリアＤＬ−２の受信品質が閾値Ｘ＿ＣＣ−ＤＩＶ未満である場合、ＤＬ送信モードをＤＬ−１送信モードに決定する。
【００６７】
ＤＬ送信モード決定部１０９は、コンポーネントキャリアＤＬ−１の受信品質が閾値Ｘ＿ＣＡ未満かつ閾値Ｘ＿ＣＣ−ＤＩＶ以上であって、さらにコンポーネントキャリアＤＬ−２の受信品質が閾値Ｘ＿ＣＡ以上である場合、ＤＬ送信モードをＣＣ−ＤＩＶ送信モードに決定する。また、ＤＬ送信モード決定部１０９は、コンポーネントキャリアＤＬ−１の受信品質が閾値Ｘ＿ＣＡ未満かつ閾値Ｘ＿ＣＣ−ＤＩＶ以上であって、さらにコンポーネントキャリアＤＬ−２の受信品質が閾値Ｘ＿ＣＡ未満かつ閾値Ｘ＿ＣＣ−ＤＩＶ以上である場合、ＤＬ送信モードをＣＣ−ＤＩＶ送信モードに決定する。また、ＤＬ送信モード決定部１０９は、コンポーネントキャリアＤＬ−１の受信品質が閾値Ｘ＿ＣＡ未満かつ閾値Ｘ＿ＣＣ−ＤＩＶ以上であって、さらにコンポーネントキャリアＤＬ−２の受信品質が閾値Ｘ＿ＣＣ−ＤＩＶ未満である場合、ＤＬ送信モードをＤＬ−１送信モードに決定する。
【００６８】
ＤＬ送信モード決定部１０９は、コンポーネントキャリアＤＬ−１の受信品質が閾値Ｘ＿ＣＣ−ＤＩＶ未満であって、かつコンポーネントキャリアＤＬ−２の受信品質が閾値Ｘ＿ＣＡ以上である場合、ＤＬ送信モードをＤＬ−２送信モードに決定する。また、ＤＬ送信モード決定部１０９は、コンポーネントキャリアＤＬ−１の受信品質が閾値Ｘ＿ＣＣ−ＤＩＶ未満であって、であって、かつコンポーネントキャリアＤＬ−２の受信品質が閾値Ｘ＿ＣＡ未満かつ閾値Ｘ＿ＣＣ−ＤＩＶ以上である場合、ＤＬ送信モードをＤＬ−２送信モードに決定する。また、ＤＬ送信モード決定部１０９は、コンポーネントキャリアＤＬ−１の受信品質が閾値Ｘ＿ＣＣ−ＤＩＶ未満であって、であって、かつコンポーネントキャリアＤＬ−２の受信品質が閾値Ｘ＿ＣＣ−ＤＩＶ未満である場合、他のコンポーネントキャリアに切り換える処理を実行する。ただし、本実施の形態では、２つのコンポーネントキャリアＤＬ−１，ＤＬ−２しかないため、当該切り換えは行なわれることはない。
【００６９】
以上のように、基地局１００は、ＣＡ送信モード、ＣＣ−ＤＩＶ送信モード、および送信ダイバーシチモード（ＤＬ−１送信モード，ＤＬ２送信モード）の中のいずれの送信モードに設定するかを、各周波数帯の通信品質に基づいて決定する。
【００７０】
＜Ｃ．移動局３００＞
図４は、移動局３００の機能ブロック図である。図４を参照して、移動局３００は、受信用のアンテナ３０１，３０２と、受信部３０３，３０４と、ＯＦＤＭ処理部３０５，３０６と、ＤＬ受信品質測定部３０７，３０８と、ＤＬ送信フォーマット検出部３０９，３１０と、ＤＬデータ処理部３１１，３１２と、ＤＬ受信制御部３１３と、ＣＡ受信制御部３１４と、ＤＬデータ合成部３１５と、アプリケーション部３１６と、ＤＬ受信品質保持部３１７と、ＵＬデータ処理部３１８と、ＯＦＤＭ処理部３１９と、送信部３２０と、送信用のアンテナ３２１とを備える。
【００７１】
（Ｃ１．ダウンリンクにおける通信処理）
基地局１００から移動局３００へのダウンリンク通信における移動局３００での処理について説明する。
【００７２】
移動局３００は、アンテナ３０１と、受信部３０３と、ＯＦＤＭ処理部３０５と、ＤＬ送信フォーマット検出部３０９と、ＤＬデータ処理部３１１とにより、第１の周波数帯域（１つ目のコンポーネントキャリア）の周波数を用いたデータ受信を行なう。また、移動局３００は、アンテナ３０２と、受信部３０４と、ＯＦＤＭ処理部３０６と、ＤＬ送信フォーマット検出部３１０と、ＤＬデータ処理部３１２とにより、第２の周波数帯域（２つ目のコンポーネントキャリア）の周波数を用いたデータ送信を行なう。
【００７３】
ＣＡ受信制御部３１４は、キャリアアグリゲーションを実行する際の受信制御を行なう。具体的には、ＣＡ受信制御部３１４は、受信部３０３，３０４と、ＯＦＤＭ処理部３０５，３０６と、ＤＬデータ処理部３１１，３１２に対して、キャリアアグリゲーション受信についての制御を行なう。
【００７４】
受信部３０３は、アンテナ３０１を用いて、基地局１００から送信された信号を受信する。受信部３０３は、受信した信号を、ＯＦＤＭ処理部３０５およびＤＬ受信品質測定部３０７に送る。
【００７５】
ＤＬ受信品質測定部３０７は、受信部３０３が受信した上記信号についての受信品質の測定を行なう。ＤＬ受信品質測定部３０７は、測定の結果である受信品質を表わした情報（つまり、ＤＬ受信品質情報）をＤＬ受信品質保持部３１７に送る。
【００７６】
ＯＦＤＭ処理部３０５は、受信部３０３から送られてきた信号に対してＯＦＤＭ処理を行なう。ＯＦＤＭ処理部３０５は、ＯＦＤＭ処理によって得られるデータ（以下、「ＯＦＤＭ処理済みデータ」とも称する）を、ＤＬ送信フォーマット検出部３０９およびＤＬデータ処理部３１１に送る。
【００７７】
ＤＬ送信フォーマット検出部３０９は、ＯＦＤＭ処理部３０５から送られてくるＯＦＤＭ処理済みデータからＤＬ送信フォーマットの検出を行なう。ＤＬ送信フォーマット検出部３０９は、検出したＤＬ送信フォーマットを、ＤＬデータ処理部３１１およびＤＬ受信制御部３１３に送る。
【００７８】
ＤＬデータ処理部３１１は、ＯＦＤＭ処理部３０５から送られてくる上記ＯＦＤＭ処理済みデータを受取る。また、ＤＬデータ処理部３１１は、ＤＬ送信フォーマット検出部３０９から送られてくるＤＬ送信フォーマットを受取る。ＤＬデータ処理部３１１は、ＤＬ送信フォーマットに基づき、ＯＦＤＭ処理済みデータからユーザデータの抽出を行なう。ＤＬデータ処理部３１１は、抽出したユーザデータをＤＬデータ合成部３１５に送る。
【００７９】
受信部３０４は、アンテナ３０２を用いて、基地局１００から送信された信号を受信する。受信部３０４は、受信した信号を、ＯＦＤＭ処理部３０６およびＤＬ受信品質測定部３０８に送る。
【００８０】
ＤＬ受信品質測定部３０８は、受信部３０４が受信した上記信号についての受信品質の測定を行なう。ＤＬ受信品質測定部３０８は、測定の結果である受信品質を表わした情報（ＤＬ受信品質情報）をＤＬ受信品質保持部３１７に送る。
【００８１】
ＯＦＤＭ処理部３０６は、受信部３０４から送られてきた信号に対してＯＦＤＭ処理を行なう。ＯＦＤＭ処理部３０６は、ＯＦＤＭ処理によって得られるＯＦＤＭ処理済みデータを、ＤＬ送信フォーマット検出部３１０およびＤＬデータ処理部３１２に送る。
【００８２】
ＤＬ送信フォーマット検出部３１０は、ＯＦＤＭ処理部３０６から送られてくるＯＦＤＭ処理済みデータからＤＬ送信フォーマットの検出を行なう。ＤＬ送信フォーマット検出部３１０は、検出したＤＬ送信フォーマットを、ＤＬデータ処理部３１２およびＤＬ受信制御部３１３に送る。
【００８３】
ＤＬデータ処理部３１２は、ＯＦＤＭ処理部３０６から送られてくる上記ＯＦＤＭ処理済みデータを受取る。また、ＤＬデータ処理部３１２は、ＤＬ送信フォーマット検出部３１０から送られてくるＤＬ送信フォーマットを受取る。ＤＬデータ処理部３１２は、ＤＬ送信フォーマットに基づき、ＯＦＤＭ処理済みデータからユーザデータの抽出を行なう。ＤＬデータ処理部３１２は、抽出したユーザデータをＤＬデータ合成部３１５に送る。
【００８４】
ＤＬ受信制御部３１３は、ＤＬ送信フォーマット検出部３０９から送られてきたＤＬ送信フォーマットに基づき、ＤＬ送信モードを判断する。つまり、ＤＬ受信制御部３１３は、２のコンポーネントキャリアＤＬ−１，ＤＬ−２を用いて互いに異なる情報を送信するＣＡ送信モードと、２つのコンポーネントキャリアＤＬ−１，ＤＬ−２を用いて同一の情報を送信するＣＣ−ＤＩＶ送信モードとのうちのいずれのＤＬ送信モードを基地局１００が用いているかを、ＤＬ送信フォーマットに基づき判断する。
【００８５】
ＤＬ受信制御部３１３は、たとえばブランドデコーディングによって、ＤＬ送信モードを判断する。なお、ブラインドデコーディングによってＤＬ送信モードを判断する構成の場合には、基地局１００から送信フォーマットを特定させるため情報は不要である。また、コンポーネントキャリアＤＬ−１とコンポーネントキャリアＤＬ−２とで同じ制御情報（ＰＤＣＣＨ）および同じデータ（ＰＤＳＣＨ）を送信する場合には、受信情報同士を比較し、受信情報同士が同じときにはＣＣ−ＤＩＶと判断し、受信情報同士が違うときにはＣＡと判断するように、ＤＬ受信制御部３１３を構成してもよい。
【００８６】
ＤＬデータ合成部３１５は、ＤＬ受信制御部３１３から、基地局１００が用いているＤＬ送信モードの判断結果を受取る。なお、判断結果は、ＣＡ送信モード、ＣＣ−ＤＩＶ送信モード、ＤＬ−１送信モード、およびＤＬ−２送信モードのいずれかを表す情報である。
【００８７】
ＤＬデータ合成部３１５は、上記判断結果に基づき、各コンポーネントキャリアＤＬ−１，ＤＬ−２のＤＬデータ処理部３１１，３１２から送られてきたユーザデータの合成を行なう。具体的には、ＤＬデータ合成部３１５は、ＤＬ送信モードがＣＡ送信モードである場合、キャリアアグリゲーション用のデータ合成を行なう。また、ＤＬデータ合成部３１５は、ＤＬ送信モードがＣＣ−ＤＩＶ送信モードである場合、ＣＣ−ＤＩＶ用のデータ合成を行なう。なお、ＤＬ送信モードがＤＬ−１送信モードまたはＤＬ−２送信モードである場合には、ＤＬデータ合成部３１５は、ユーザデータを合成する必要はない。
【００８８】
ＤＬデータ合成部３１５は、ＤＬ送信モードがＣＡ送信モードまたはＣＣ−ＤＩＶ送信モードであった場合には、合成されたユーザデータをアプリケーション部３１６に送る。なお、ＤＬ送信モードがＤＬ−１送信モードであった場合には、ＤＬデータ合成部３１５は、ＤＬデータ処理部３１１から送られてきたユーザデータをアプリケーション部３１６に送る。また、ＤＬ送信モードがＤＬ−２送信モードであった場合には、ＤＬデータ合成部３１５は、ＤＬデータ処理部３１２から送られてきたユーザデータをアプリケーション部３１６に送る。
【００８９】
（Ｃ２．アップリンクにおける通信処理）
次に、移動局３００から基地局１００局へのアップリンク通信における移動局３００での処理について説明する。
【００９０】
アプリケーション部３１６は、ＵＬデータをＵＬデータ処理部３１８に送る。
ＵＬデータ処理部３１８は、アプリケーション部３１６から送られてきたＵＬデータに対してＯＦＤＭ処理を行なうためのマッピングを行なう。ＵＬデータ処理部３１８は、当該ＵＬデータに対するマッピングと同時に、ＤＬ受信品質保持部３１７から送られてきたＤＬ受信品質情報に対してもＯＦＤＭ処理を行なうためのマッピングを行なう。ＵＬデータ処理部３１８は、マッピングを行なったデータを、ＯＦＤＭ処理部３１９に送る。
【００９１】
ＯＦＤＭ処理部３１９は、ＵＬデータ処理部３１８から送られてきたデータに対してＯＦＤＭ処理を行なう。ＯＦＤＭ処理部３１９は、ＯＦＤＭ処理済みデータを送信部３２０に送る。
【００９２】
送信部３２０は、ＯＦＤＭ処理部３１９から送られてきたＯＦＤＭ処理済みデータを、アンテナ３２１を用いて、基地局１００に送信する。
【００９３】
＜Ｄ．データ処理＞
図５は、通信システム１におけるシーケンスチャートである。具体的には、図５は、ＤＬ送信モードがＣＡ送信モードからＣＣ−ＤＩＶ送信モードへと切換るときのシーケンスチャートである。
【００９４】
図５を参照して、シーケンスの初期状態として、基地局１００と移動局３００との間で、ダウンリンクにおいてコンポーネントキャリアＤＬ−１，ＤＬ−２によるＣＡ通信を、アップリンクにおいてはコンポーネントキャリアＵＬ−１による通信が行われているとする。
【００９５】
コンポーネントキャリアＤＬ−１およびコンポーネントキャリアＤＬ−２の受信品質が良好な場合（受信品質≧閾値Ｘ＿ＣＡ）には、通信システム１は、ステップＳαを定期的に繰り返す。ステップＳαは、ステップＳ２、ステップＳ４、ステップＳ６を含む。
【００９６】
具体的には、ステップＳ２において、移動局３００が、ＤＬ受信品質の測定を行なう。ステップＳ４において、移動局３００は、ＤＬ受信品質情報を基地局１００に通知する。ステップＳ６において、基地局１００は、ＤＬ受信品質情報に基づき、ＤＬ送信モードの決定を行なう。なお、コンポーネントキャリアＤＬ−１およびコンポーネントキャリアＤＬ−２の受信品質が良好であるため、基地局１００は、ＤＬ送信モードを変更しない。
【００９７】
ここで、コンポーネントキャリアＤＬ−１およびコンポーネントキャリアＤＬ−２の受信品質が低下したとする。正確には、コンポーネントキャリアＤＬ−１および／またはコンポーネントキャリアＤＬ−２の受信品質が、図３に示すＣＣ−ＤＩＶの範囲内となる値になったとする。
【００９８】
この場合、ステップＳ８において、移動局３００は、引き続き、ＤＬ受信質の測定を行なう。ステップＳ１０において、移動局３００は、ＤＬ受信品質情報を基地局１００に通知する。ステップＳ１２において、基地局１００は、ＤＬ受信品質情報に基づき、ＤＬ送信モードの決定を行なう。具体的には、基地局１００は、ＤＬ送信モードをＣＣ−ＤＩＶ送信モードに決定する。ステップＳ１４において、基地局１００は、ＤＬ送信モードをＣＡ送信モードからＣＣ−ＤＩＶ送信モードへと変更する。
【００９９】
その後は、基地局１００と移動局３００との間では、ダウンリンクにおいてコンポーネントキャリアＤＬ−１，ＤＬ−２によるＣＣ−ＤＩＶ通信が、アップリンクにおいてはコンポーネントキャリアＵＬ−１による通信が行われる。
【０１００】
なお、Ｌ３メッセージによるＤＬ送信モードの変更通知（応答、応答確認）が移動局３００と基地局１００との間で行われてもよい。
【０１０１】
図６は、通信システム１におけるシーケンスチャートである。具体的には、図６は、ＤＬ送信モードがＣＣ−ＤＩＶ送信モードからＣＡ送信モードへと切換るときのシーケンスチャートである。
【０１０２】
図６を参照して、シーケンスの初期状態として、基地局１００と移動局３００との間で、ダウンリンクにおいてコンポーネントキャリアＤＬ−１，ＤＬ−２によるＣＣ−ＤＩＶ通信が、アップリンクにおいてはコンポーネントキャリアＵＬ−１による通信が行われているとする。
【０１０３】
コンポーネントキャリアＤＬ−１およびコンポーネントキャリアＤＬ−２の受信品質が不良な場合には、通信システム１は、ステップＳβを繰り返す。正確には、コンポーネントキャリアＤＬ−１およびコンポーネントキャリアＤＬ−２の受信品質が、図３に示すＣＣ−ＤＩＶの範囲内となる値になっている場合には、通信システム１は、ステップＳβを定期的に繰り返す。ステップＳβは、ステップＳ１０２、ステップＳ１０４、ステップＳ１０６を含む。
【０１０４】
具体的には、ステップＳ１０２において、移動局３００が、ＤＬ受信品質の測定を行なう。ステップＳ１０４において、移動局３００は、ＤＬ受信品質情報を基地局１００に通知する。ステップＳ１０６において、基地局１００は、ＤＬ受信品質情報に基づき、ＤＬ送信モードの決定を行なう。なお、コンポーネントキャリアＤＬ−１およびコンポーネントキャリアＤＬ−２の受信品質が図３に示すＣＣ−ＤＩＶの範囲内となる値になってため、基地局１００は、ＤＬ送信モードを変更しない。
【０１０５】
ここで、コンポーネントキャリアＤＬ−１およびコンポーネントキャリアＤＬ−２の受信品質が良好（受信品質≧閾値Ｘ＿ＣＡ）になったとする。この場合、ステップＳ１０８において、移動局３００は、引き続き、ＤＬ受信質の測定を行なう。ステップＳ１１０において、移動局３００は、ＤＬ受信品質情報を基地局１００に通知する。ステップＳ１１２において、基地局１００は、ＤＬ受信品質情報に基づき、ＤＬ送信モードの決定を行なう。具体的には、基地局１００は、ＤＬ送信モードをＣＡ送信モードに決定する。ステップＳ１１４において、基地局１００は、ＤＬ送信モードをＣＣ−ＤＩＶ送信モードからＣＡ送信モードへと変更する。
【０１０６】
その後、移動局３００と基地局１００との間では、ダウンリンクにおいてコンポーネントキャリアＤＬ−１，ＤＬ−２によるＣＡ通信が、アップリンクにおいてはコンポーネントキャリアＵＬ−１による通信が行なわれる。
【０１０７】
なお、Ｌ３メッセージによるＤＬ送信モードの変更通知（応答、応答確認）が移動局３００と基地局１００との間で行われてもよい。
【０１０８】
図７は、基地局１００における処理の流れを表したフローチャートである。図７を参照して、ステップＳ２０２において、基地局１００は、移動局３００から受信品質の通知があったか否かを判断する。具体的には、基地局１００は、ＤＬ受信品質情報を受信したか否かを判断する。
【０１０９】
ステップＳ２０４において、基地局１００は、ＤＬ受信品質情報に基づいて、ＤＬ送信モードを決定する。ステップＳ２０６において、基地局１００は、ＤＬ送信モードを変更する必要があるか否かを判断する。
【０１１０】
基地局１００は、ＤＬ送信モードを変更する必要があると判断した場合（ステップＳ２０６においてＹＥＳ）、ステップＳ２０８において、現在のＤＬ送信モードから決定したＤＬ送信モードにＤＬ送信モードを変更する。一方、基地局１００は、ＤＬ送信モードを変更する必要がないと判断した場合（ステップＳ２０６においてＮＯ）、処理をステップＳ２１２に進める。
【０１１１】
ステップＳ２１０において、基地局１００は、変更後のＤＬ送信モードにて、移動局３００との通信を再開する。ステップＳ２１２において、基地局１００は、移動局３００との通信が終了したか否かを判断する。基地局１００は、移動局３００との通信が終了していないと判断した場合（ステップＳ２１２においてＮＯ）、処理をステップＳ２０２に進める。一方、基地局１００は、移動局３００との通信が終了したと判断した場合（ステップＳ２１２においてＹＥＳ）、移動局３００との間における一連の処理を終了する。
【０１１２】
図８は、移動局３００における処理の流れを表したフローチャートである。図８を参照して、ステップＳ３０２において、移動局３００は、基地局１００からデータを受信したか否かを判断する。移動局３００は、データを受信したと判断した場合（ステップＳ３０２においてＹＥＳ）、ステップＳ３０４において、当該データについての受信品質を測定する。一方、移動局３００は、データを受信していないと判断した場合（ステップＳ３０２においてＮＯ）、処理をステップＳ３１２に進める。
【０１１３】
ステップＳ３０６において、移動局３００は、基地局１００に受信品質を通知する。具体的には、移動局３００は、基地局１００にＤＬ受信品質情報を送信する。ステップＳ３０８において、移動局３００は、ＤＬ送信モードの変更があったか否かを判断する。具体的には、移動局３００は、ＤＬ送信フォーマット検出部３０９，３１０による検出結果に基づきＤＬ送信モードを判断することにより、ＤＬ送信モードの変更があったか否かを判断する。
【０１１４】
移動局３００は、ＤＬ送信モードの変更があったと判断した場合（ステップＳ３０８においてＹＥＳ）、ステップＳ３１０において、変更後のＤＬ送信モードに対応したデータ処理を行なう。当該データ処理は、たとえば、ＤＬデータ処理部３１１、ＤＬデータ処理部３１２、およびＤＬデータ合成部３１５において行なわれる処理である。一方、移動局３００は、ＤＬ送信モードの変更がないと判断した場合（ステップＳ３０８においてＮＯ）、処理をステップＳ３１２に進める。
【０１１５】
ステップＳ３１２において、移動局３００は、基地局１００との通信が終了したか否かを判断する。移動局３００は、基地局１００との通信が終了していないと判断した場合（ステップＳ３１２においてＮＯ）、処理をステップＳ３０２に進める。一方、移動局３００は、基地局１００との通信が終了したと判断した場合（ステップＳ３１２においてＹＥＳ）、基地局１００との間における一連の処理を終了する。
【０１１６】
以上のように、通信システム１は、２つのコンポーネントキャリアを用いて異なる情報信号の送受信を行なうのではなく、２つのコンポーネントキャリアで同じ情報信号の送信を行なう。さらに、通信システム１では、受信側の移動局３００で合成する。また、通信システム１の基地局１００は、ＣＣダイバーシチ用の送信フォーマットを生成する。
【０１１７】
従来は、２つのアンテナで同じ周波数バンドのダウンリンク通信を行なう場合、受信品質の良いセル中心付近ではＭＩＭＯモードを、受信品質の悪いセルエッジでは送信ダイバーシチモードを用いた。本実施の形態の通信システム１では、２つのアンテナで異なる周波数帯のダウンリンク通信を行なう場合へと拡張した構成であり、受信品質の良いセル中心付近ではＣＡ通信を行ない、受信品質の悪いセルエッジではＣＣダイバーシチ（ＣＣ−ＤＩＶ）を行なう。
【０１１８】
＜Ｅ．ハードウェア構成＞
図９は、基地局１００の典型的なハードウェア構成を表した図である。図９では、３セクタの２×２ＭＩＭＯに対応した構成を例として挙げている。図９を参照して、基地局１００は、複数のアンテナ１３０１，１３０２，１３１１，１３１２，１３２１，１３２２と、複数の無線処理部１５００ａ，１５００ｂ，１５００ｃと、制御・ベースバンド部１８００とを備える。
【０１１９】
各無線処理部１５００ａ，１５００ｂ，１５００ｃは、デュプレクサ１５０１，１５０２と、パワーアンプ１５０３，１５０４と、ローノイズアンプ１５０５，１５０６と、送信回路１５０７，１５０８と、受信回路１５０９，１５１０と、直交変復調部１５１１とを備える。制御・ベースバンド部１８００は、ベースバンド回路１８１０と、制御装置１８２０と、電源部１８５０と、タイミング制御部１８３０と、通信インターフェイス１８４０とを備える。制御装置１８２０は、ＣＰＵ１８２１と、ＲＯＭ１８２２と、ＲＡＭ１８２３と、不揮発性メモリ１８２４と、ＨＤＤ（Hard Disk Drive）１８２５とを備える。
【０１２０】
直交変復調部１５１１は、ベースバンド回路１８１０で処理されるＯＦＤＭ（Orthogonal Frequency Division Multiplexing）信号を直交変復調し、アナログ信号（ＲＦ（Radio Frequency）信号）と変換する。送信回路１５０７，１５０８は、直交変復調部１５１１で生成されたＲＦ信号を、電波として送出する周波数に変換する。受信回路１５０９，１５１０は、受信した電波を直交変復調部１５１１で処理する周波数に変換する。
【０１２１】
パワーアンプ１５０３，１５０４は、送信回路１５０７，１５０８で生成したＲＦ信号を、アンテナ１３０１，１３０２，１３１１，１３１２，１３２１，１３２２から送信するために電力増幅する。ローノイズアンプは、アンテナで受信した微弱電波を増幅し、受信回路１５０９，１５１０に渡す。
【０１２２】
制御装置１８２０は、基地局１００全体の制御、および呼制御のプロトコルや制御監視を行なう。タイミング制御部１８３０は、伝送路またはＧＰＳ（Global Positioning System）から抽出した基準クロックを基に、基地局１００内部で使用する各種クロックを生成する。
【０１２３】
通信インターフェイス１８４０は、イーサネット（登録商標）などの伝送路を接続し、ＩＰｓｅｃ（Security Architecture for Internet Protocol）、ＩＰｖ６（Internet Protocol Version 6）等のプロトコルを処理してＩＰパケットの授受を行なう。
【０１２４】
ベースバンド回路１８１０は、通信インターフェイス１８４０を用いて授受するＩＰパケットと、無線上に乗せるＯＦＤＭ信号（ベースバンド信号）の変換（変復調）を行なう。また、ベースバンド信号は無線処理部１５００ａ，１５００ｂ，１５００ｃとの間で授受される。電源部１８５０は、基地局１００に供給される電圧を、基地局１００内部で使用する電圧に変換する。
【０１２５】
基地局１００における処理は、各ハードウェアおよびＣＰＵ１８２１により実行されるソフトウェアによって実現される。このようなソフトウェアは、ＨＤＤ１８２５等に予め記憶されている場合がある。また、ソフトウェアは、メモリカード（図示せず）その他の記憶媒体に格納されて、プログラムプロダクトとして流通している場合もある。あるいは、ソフトウェアは、いわゆるインターネットに接続されている情報提供事業者によってダウンロード可能なプログラムプロダクトとして提供される場合もある。このようなソフトウェアは、ＩＣカードリーダライタその他の読取装置によりその記憶媒体から読み取られて、あるいは、通信インターフェイス１８４０を介してダウンロードされた後、ＨＤＤ１８２５に一旦格納される。そのソフトウェアは、ＣＰＵ１８２１によってＨＤＤ１８２５から読み出され、さらに不揮発性メモリ１８２４に実行可能なプログラムの形式で格納される。ＣＰＵ１８２１は、そのプログラムを実行する。
【０１２６】
同図に示される基地局１００を構成する各構成要素は、一般的なものである。したがって、本発明の本質的な部分は、ＨＤＤ１８２５、不揮発性メモリ１８２４、メモリカードその他の記憶媒体に格納されたソフトウェア、あるいはネットワークを介してダウンロード可能なソフトウェアであるともいえる。なお、基地局１００の各ハードウェアの動作は周知であるので、詳細な説明は繰り返さない。
【０１２７】
なお、記録媒体としては、ＤＶＤ-ＲＯＭ、ＣＤ−ＲＯＭ、ＦＤ（Flexible Disk）、ハードディスクに限られず、磁気テープ、カセットテープ、光ディスク（ＭＯ（Magnetic Optical Disc）／ＭＤ（Mini Disc）／ＤＶＤ（Digital Versatile Disc））、光カード、マスクＲＯＭ、ＥＰＲＯＭ（Electronically Programmable Read-Only Memory）、ＥＥＰＲＯＭ（Electronically Erasable Programmable Read-Only Memory）、フラッシュＲＯＭなどの半導体メモリ等の固定的にプログラムを担持する媒体でもよい。また、記録媒体は、コンピュータが読取可能な一時的でない媒体である。
【０１２８】
ここでいうプログラムとは、ＣＰＵにより直接実行可能なプログラムだけでなく、ソースプログラム形式のプログラム、圧縮処理されたプログラム、暗号化されたプログラム等を含む。
【０１２９】
図１０は、移動局３００の典型的なハードウェア構成を表した図である。図１０を参照して、移動局３００は、アンテナ３００６，３００７，３００８，３００９と、ＲＦ回路３１０１，３１０２と、ベースバンド回路３１０３と、ＧＰＳ受信機３１０４と、プログラムを実行するアプリケーションプロセッサ３１０５と、ＲＯＭ（Read Only Memory）３１０６と、ＲＡＭ（Random Access Memory）３１０７と、ＮＡＮＤ型のフラッシュメモリ３１０８と、ディスプレイ３１０９と、カメラ３１１０と、マイク３１１１と、スピーカ３１１２と、ユーザによる指示の入力を受ける操作キー３１１３と、通信ＩＦ（Interface）３１１４と、ＩＣ（Integrated Circuit）カードリーダライタ３１１５と、電源ユニット３１１６とを備える。
【０１３０】
ＧＰＳ受信機３１０４は、アンテナ３１４１と、ＲＦ回路３１４２と、ベースバンド回路３１４３とを含む。ＧＰＳ受信機３１０４は、アンテナ３１４１を用いてＧＰＳ衛星の信号を受信する。さらに、ＧＰＳ受信機３１０４は、ＲＦ回路３１４２およびベースバンド回路３１４３における処理の結果（つまり、現在地情報）を、アプリケーションプロセッサ３１０５に出力する。
【０１３１】
アンテナ３００６〜３００９、ＲＦ回路３１０１，３１０２、およびベースバンド回路３１０３は、基地局を介した、他の移動体端末、固定電話、およびＰＣ（Personal Computer）との間における無線通信に用いられる。詳しくは、アンテナ３０１，３０２、ＲＦ回路３１０１，３１０２、およびベースバンド回路３１０３は、移動局３００が携帯電話網を用いた通信を行なうために用いられる。
【０１３２】
フラッシュメモリ３１０８は、不揮発性の半導体メモリである。フラッシュメモリ３１０８は、移動局３００を制御するための各種のプログラム、並びに、移動局３００が生成したデータ、移動局３００の外部装置から取得したデータ等の各種データを揮発的に格納する。
【０１３３】
各構成要素３１０３〜３１１６は、相互にデータバスによって接続されている。ＩＣカードリーダライタ３１１５には、メモリカード３１５１が装着される。
【０１３４】
移動局３００における処理は、各ハードウェアおよびアプリケーションプロセッサ３１０５により実行されるソフトウェアによって実現される。このようなソフトウェアは、フラッシュメモリ３１０８に予め記憶されている場合がある。また、ソフトウェアは、メモリカード３１５１その他の記憶媒体に格納されて、プログラムプロダクトとして流通している場合もある。あるいは、ソフトウェアは、いわゆるインターネットに接続されている情報提供事業者によってダウンロード可能なプログラムプロダクトとして提供される場合もある。このようなソフトウェアは、ＩＣカードリーダライタ３１１５その他の読取装置によりその記憶媒体から読み取られて、あるいは、アンテナ３００６〜３００９、ＲＦ回路３１０１，３１０２、およびベースバンド回路３１０３、または通信ＩＦ３１１４を介してダウンロードされた後、フラッシュメモリ３１０８に一旦格納される。そのソフトウェアは、アプリケーションプロセッサ３１０５によってフラッシュメモリ３１０８から読み出され、さらにフラッシュメモリ３１０８に実行可能なプログラムの形式で格納される。アプリケーションプロセッサ３１０５は、そのプログラムを実行する。
【０１３５】
同図に示される移動局３００を構成する各構成要素は、一般的なものである。したがって、本発明の本質的な部分は、フラッシュメモリ３１０８、メモリカード３１５１その他の記憶媒体に格納されたソフトウェア、あるいはネットワークを介してダウンロード可能なソフトウェアであるともいえる。なお、移動局３００の各ハードウェアの動作は周知であるので、詳細な説明は繰り返さない。
【０１３６】
なお、記録媒体としては、ＤＶＤ-ＲＯＭ、ＣＤ−ＲＯＭ、ＦＤ（Flexible Disk）、ハードディスクに限られず、磁気テープ、カセットテープ、光ディスク（ＭＯ（Magnetic Optical Disc）／ＭＤ（Mini Disc）／ＤＶＤ（Digital Versatile Disc））、光カード、マスクＲＯＭ、ＥＰＲＯＭ（Electronically Programmable Read-Only Memory）、ＥＥＰＲＯＭ（Electronically Erasable Programmable Read-Only Memory）、フラッシュＲＯＭなどの半導体メモリ等の固定的にプログラムを担持する媒体でもよい。また、記録媒体は、コンピュータが読取可能な一時的でない媒体である。
【０１３７】
ここでいうプログラムとは、ＣＰＵにより直接実行可能なプログラムだけでなく、ソースプログラム形式のプログラム、圧縮処理されたプログラム、暗号化されたプログラム等を含む。
【０１３８】
＜Ｆ．基地局１００のまとめ＞
（１）以上のように、基地局１００は、互いに周波数帯域が異なる２つのコンポーネントキャリアＤＬ−１，ＤＬ−２を用いたキャリアアグリゲーションによって、移動局３００と通信する。基地局１００のＤＬ送信モード決定部１０９は、コンポーネントキャリアＤＬ−１，ＤＬ−２の受信品質が共に閾値Ｘ＿ＣＣ−ＤＩＶ以上である場合には、２つのコンポーネントキャリアを用いて互いに異なる情報を送信するＣＡ送信モードと、２つのコンポーネントキャリアを用いて同一の情報を送信するＣＣ−ＤＩＶ送信モードとのうちのいずれのＤＬ送信モードを用いるかを、移動局３００との通信に基づき決定する。また、基地局１００の送信処理部１５０は、上記決定されたＤＬ送信モードにて、移動局３００に対するダウンリンク送信を行なう。
【０１３９】
したがって、基地局１００は、複数のアンテナで異なる周波数帯のダウンリンク通信を行なう場合において、移動局３００の受信品質を向上させることが可能となる。典型的には、基地局１００は、当該基地局１００のセルエッジのような受信品質が低い環境において、移動局３００の受信品質を向上させることができる。
【０１４０】
（２）より詳しくは、ＤＬ送信モード決定部１０９は、移動局３００から通知されるコンポーネントキャリアＤＬ−１およびコンポーネントキャリアＤＬ−２の各ＤＬ受信品質情報に基づき、ＤＬ送信モードを決定する。このように、基地局１００は、ＤＬ送信モードの決定にあたり、コンポーネントキャリア毎の受信品質を用いる。したがって、基地局１００は、１つのコンポーネントキャリアの受信品質しか用いない構成に比べて、移動局３００の受信品質を向上させることができる。
【０１４１】
（３）より詳しくは、ＤＬ送信モード決定部１０９は、各受信品質が閾値Ｘ＿ＣＡ以上であるかを判定する。ＤＬ送信モード決定部１０９は、各受信品質が閾値Ｘ＿ＣＡ以上であると判定した場合には、ＣＡ送信モードを用いる決定をする。したがって、基地局１００は、コンポーネントキャリアＤＬ−１の受信品質とコンポーネントキャリアＤＬ−２の受信品質とが共によい場合にのみ、ＤＬ送信モードをＣＡ送信モードに設定することができる。
【０１４２】
（４）より詳しくは、ＤＬ送信モード決定部１０９は、各受信品質が、閾値Ｘ＿ＣＡよりも受信品質が低いことを表した、予め定められた閾値Ｘ＿ＣＣ−ＤＩＶ以上であるかを判定する。ＤＬ送信モード決定部１０９は、各受信品質が閾値Ｘ＿ＣＣ−ＤＩＶ以上であって、かつ、受信品質の少なくとも１つが閾値Ｘ＿ＣＡ未満である場合には、ＣＣ−ＤＩＶ送信モードを用いる決定をする。
【０１４３】
したがって、基地局１００は、コンポーネントキャリアＤＬ−１の受信品質およびコンポーネントキャリアＤＬ−２の受信品質の少なくとも一方が良くない場合（閾値Ｘ＿ＣＣ−ＤＩＶ以上の場合）、ＤＬ送信モードをＣＣ−ＤＩＶ送信モードに設定することができる。
【０１４４】
ところで、基地局１００は、コンポーネントキャリアＤＬ−１の受信品質およびコンポーネントキャリアＤＬ−２の受信品質の少なくとも一方が悪い場合（閾値Ｘ＿ＣＣ−ＤＩＶ未満の場合）には、ＣＣダイバーシチの効果が得にくい。このため、基地局１００は、コンポーネントキャリアＤＬ−１の受信品質およびコンポーネントキャリアＤＬ−２の受信品質の少なくとも一方が悪い場合には、ＣＣダイバーシチを行なわないことによって、データ処理の簡略化、電力消費の低減等を図ることができる。
【０１４５】
（５）より詳しくは、ＤＬ送信モード決定部１０９は、ＣＡ送信モードで移動局３００と通信を行なう場合には、ＣＡ送信モード用のＤＬ送信フォーマット（つまり、ＭＩＭＯモード用のＤＬ送信フォーマット）を用いて互いに異なる情報を移動局３００に送信する。また、ＤＬ送信モード決定部１０９は、ＣＣ−ＤＩＶ送信モードで移動局３００と通信を行なう場合には、ＣＣ−ＤＩＶ送信モード用のＤＬ送信フォーマットを用いて同一の情報を送信する。
【０１４６】
したがって、移動局３００は、ＤＬ送信フォーマットを識別することによって、ＤＬ送信モードがＣＡ送信モードであるか、あるいはＣＣ−ＤＩＶ送信モードであるかを判別できる。
【０１４７】
＜Ｇ．移動局３００のまとめ＞
（１）以上のように、移動局３００は、互いに周波数帯域が異なる２のコンポーネントキャリアＤＬ−１，ＤＬ−２を用いたキャリアアグリゲーションによって、基地局１００と通信する。移動局３００は、２のコンポーネントキャリアＤＬ−１，ＤＬ−２を用いて互いに異なる情報を送信するＣＡ送信モードと、２つのコンポーネントキャリアＤＬ−１，ＤＬ−２を用いて同一の情報を送信するＣＣ−ＤＩＶ送信モードとのうちのいずれのＤＬ送信モードを基地局１００が用いているかを、基地局１００との通信に基づき判断する。移動局３００は、基地局１００が送信する情報に対して、上記判断されたＤＬ送信モードに対応したデータ処理を行なう。
【０１４８】
したがって、基地局１００が複数のアンテナで異なる周波数帯のダウンリンク通信を行なう場合において、移動局３００は、受信品質を向上させることが可能となる。典型的には、基地局１００のセルエッジのような受信品質が低い環境において、移動局３００は、移動局３００の受信品質を向上させることができる。
【０１４９】
（２）移動局３００は、コンポーネントキャリアＤＬ−１およびコンポーネントキャリアＤＬ−２の各ＤＬ受信品質情報を、基地局１００に送信する。したがって、基地局１００が１つのコンポーネントキャリアの受信品質しか用いてＤＬ送信モードの判断する構成に比べて、移動局３００の受信品質を向上させることができる。
【０１５０】
（３）移動局３００は、基地局１００が送信する情報が、ＣＡ送信モード用のＤＬ送信フォーマットを用いた情報であるか、ＣＣ−ＤＩＶ送信モード用のＤＬ送信フォーマットを用いた情報であるかに基づき、上記のＤＬ送信モードの判断を行なう。したがって、移動局３００は、基地局１００のＤＬ送信モードがＣＡ送信モードであるか、あるいはＣＣ−ＤＩＶ送信モードであるかを判別できる。
【０１５１】
＜Ｈ．変形例＞
（１）閾値Ｘ＿ＣＣ−ＤＩＶを設けずに、コンポーネントキャリアＤＬ−１の受信品質およびコンポーネントキャリアＤＬ−２の受信品質の少なくとも一方が閾値Ｘ＿ＣＡ以下となると、ＤＬ送信モードをＣＡ送信モードからＣＣ−ＤＩＶ送信モードに変更するように、基地局１００を構成してもよい。
【０１５２】
（２）ダウンリックにおいて２つのコンポーネントキャリアを用いた場合を例に挙げて説明したが、２つに限定されるものではない。２つ以上のコンポーネントキャリアを用いる構成であればよい。また、アップリンクにおいて１つのコンポーネントキャリアを用いた場合を例に挙げて説明したが、１つに限定されるものではない。
【０１５３】
（３）上記においては、受信品質（ＲＳＲＱ）に基づいてＤＬ送信モードを決定する構成を説明した。受信品質の代わりに、受信レベル（ＲＳＲＰ：Reference Signal Received Power）に基づいてＤＬ送信モードを決定するように通信システム１を構成してもよい。
【０１５４】
（４）上記においては、移動局３００と基地局１００とが、互いに周波数帯域が異なる複数のコンポーネントキャリアを用いたキャリアアグリゲーションによって通信する構成を例に挙げて説明したが、これに限定されるものではない。移動局３００と基地局１００とが、複数の周波数を同時に用いる通信方式および複数の周波数のうちの１つの周波数を用いる通信方式の少なくともいずれかで通信する構成であればよい。ここで、「複数の周波数を同時に用いる」とは、或る１つのデータの送信あるいは受信に関して、複数の周波数を利用することをいう。また、予め定められた３つ以上の周波数のうちの少なくとも２つ以上の周波数を同時に用いる通信方式および当該３つ以上の周波数のうちの１つの周波数を用いる通信方式の少なくともいずれかで、移動局３００と基地局１００とが通信するよう通信システム１を構成してもよい。
【０１５５】
今回開示された実施の形態は例示であって、上記内容のみに制限されるものではない。本発明の範囲は特許請求の範囲によって示され、特許請求の範囲と均等の意味および範囲内でのすべての変更が含まれることが意図される。
【符号の説明】
【０１５６】
１  通信システム、１００  基地局、１０２，１１０，３０３，３０４  受信部、１０３，１１９，１２０，３０５，３０６，３１９  ＯＦＤＭ処理部、１０４，３１８  ＵＬデータ処理部、１１７，１１８，３１１，３１２  ＤＬデータ処理部、１０５  ＵＬデータ保持部、１１１  ＤＬデータ保持部、１０６，１２１，１２２，３２０  送信部、１０７  コアネットワーク、１０８  受信品質情報取得部、１０９  送信モード決定部、１１２  ＤＬ送信制御部、１１５  ＣＡ送信制御部、１１３  ＤＬ送信フォーマット保持部、
１１４  ＤＬ送信情報保持部、１１６  ＤＬデータ配置部、１５０  送信処理部、３００  移動局、３０７，３０８  ＤＬ受信品質測定部、３０９，３１０  ＤＬ送信フォーマット検出部、３１３  ＤＬ受信制御部、３１４  ＣＡ受信制御部、３１５  ＤＬデータ合成部、３１６  アプリケーション部、３１７  ＤＬ受信品質保持部、９００  データテーブル、１５００ａ，１５００ｂ，１５００ｃ  無線処理部、１５０１，１５０２  デュプレクサ、１５０３，１５０４  パワーアンプ、１５０５，１５０６  ローノイズアンプ、１５０７，１５０８  送信回路、１５０９，１５１０  受信回路、１５１１  直交変復調部、１８００  ベースバンド部、１８１０，３１０３，３１４３  ベースバンド回路、１８２０  制御装置、１８２２  ＲＯＭ、１８２３  ＲＡＭ、１８２４  不揮発性メモリ、１８３０  タイミング制御部、１８４０  通信インターフェイス、１８５０  電源部、３１０１，３１０２，３１４２  ＲＦ回路、３１０５  アプリケーションプロセッサ、３１０８  フラッシュメモリ、３１０９  ディスプレイ、３１１５  ＩＣカードリーダライタ、３１１６  電源ユニット、３１５１  メモリカード、ＤＬ，ＵＬ  コンポーネントキャリア。
【図１】
2013051562.tif 000003
【図２】
2013051562.tif 000004
【図３】
2013051562.tif 000005
【図４】
2013051562.tif 000006
【図５】
2013051562.tif 000007
【図６】
2013051562.tif 000008
【図７】
2013051562.tif 000009
【図８】
2013051562.tif 000010
【図９】
2013051562.tif 000011
【図１０】
2013051562.tif 000012